(57)【要約】【課題】室内の換気を行うと共に室内の圧力調節が可能な換気装置において、室内の圧力調節の精度の向上を図る。【解決手段】室外の空気を供給空気として室内に供給する給気ファンと、室内の空気を排出空気として室外に排出する排気ファンと、給気ファンが設けられて供給空気が流れる供給通路と、排気ファンが設けられて排出空気が流れる排出通路と、排出空気中の熱量を回収して供給空気に付与する全熱交換器とを備えた換気装置を前提とする。該換気装置に、設置後の試運転において、給気ファンの質量流量が所定の流量Ｑs1となるように給気ファンの運転を制御したときに、室内外の差圧が目標差圧ΔＰとなるような排気ファンの質量流量Ｑe2を導出する試運転制御手段（51）と、給気ファンの質量流量がＱs1となるように給気ファンの回転数を制御する一方、排気ファンの質量流量がＱe2となるように排気ファンの回転数を制御する本運転制御手段（52）とを設けた。【選択図】図３
2011027360.tif 000002
【特許請求の範囲】
【請求項１】
室外の空気を供給空気として室内に供給する給気ファン（20）と、室内の空気を排出空気として室外に排出する排気ファン（21）と、上記給気ファン（20）が設けられて上記供給空気が流れる供給通路と、上記排気ファン（21）が設けられて上記排出空気が流れる排出通路と、上記排出空気中の熱量を回収して上記供給空気に付与する熱量回収手段（22）とを備え、上記室内の空気を換気しつつ室内外の差圧が所定の目標差圧となるように室内圧力を調節する換気装置であって、
設置後の試運転において、上記給気ファン（20）及び上記排気ファン（21）のうちの一方を第１ファンとし、他方を第２ファンとして上記第１ファンの質量流量が所定の第１流量となるように上記第１ファンの運転を制御したときに、室内外の差圧が上記目標差圧となるような上記第２ファンの質量流量である第２流量を導出する導出手段（51）と、
上記第１ファンの質量流量が上記第１流量となるように上記第１ファンの回転数を制御する一方、上記第２ファンの質量流量が上記第２流量となるように上記第２ファンの回転数を制御する本運転制御手段（52）とを備えている
ことを特徴とする換気装置。
【請求項２】
請求項１において、
上記導出手段（51）は、
室内外の圧力差のない状態において、上記第１ファンの質量流量が上記第１流量となるように上記第１ファンの回転数を制御して、該第１ファンの回転数から該第１ファンの静圧を算出すると共に、該静圧から該第１ファンが設けられた通路の圧力損失である第１機外静圧を算出し、
室内と室外とが連通していない状態において、上記第１ファンの質量流量が上記第１流量となるように上記第１ファンの回転数を制御すると共に、該第１ファンの回転数から算出される上記第１ファンの静圧が上記第１機外静圧に上記目標差圧を加えた値となるように上記第２ファンの回転数を制御して、該第２ファンの回転数と電力とから上記第２ファンの質量流量を導出するように構成されている
ことを特徴とする換気装置。
【請求項３】
請求項１において、
上記試運転の際には、室内外の圧力差を計測する微差圧計（65）が上記導出手段（51）に接続され、
上記導出手段（51）は、上記第１ファンの質量流量が上記第１流量となるように上記第１ファンの回転数を制御すると共に、上記微差圧計（65）の計測値が上記目標差圧となるように第２ファンの回転数を制御して、該第２ファンの回転数と電力とから該第２ファンの質量流量を算出するように構成されている
ことを特徴とする換気装置。
【請求項４】
請求項２又は３において、
上記第１ファンは上記給気ファン（20）によって構成される一方、上記第２ファンは上記排気ファン（21）によって構成され、
上記本運転制御手段（52）は、室内圧力が室外圧力よりも所定値だけ高い圧力となるように両ファン（20,21）の回転数を制御するように構成されている
ことを特徴とする換気装置。
【請求項５】
請求項２又は３において、
上記第１ファンは上記排気ファン（21）によって構成される一方、上記第２ファンは上記給気ファン（20）によって構成され、
上記本運転制御手段（52）は、室内圧力が室外圧力よりも所定値だけ低い圧力となるように両ファン（20,21）の回転数を制御するように構成されている
ことを特徴とする換気装置。
【請求項６】
室外の空気を供給空気として室内に供給する給気ファン（20）と、室内の空気を排出空気として室外に排出する排気ファン（21）と、上記給気ファン（20）が設けられて上記供給空気が流れる供給通路と、上記排気ファン（21）が設けられて上記排出空気が流れる排出通路と、上記排出空気中の熱量を回収して上記供給空気に付与する熱量回収手段とを備え、上記室内の空気を換気しつつ室内外の差圧が上記目標差圧となるように室内圧力を調節する換気装置による室内圧力調節方法であって、
室内圧力と室外圧力とを等圧力状態とする第１工程と、
上記給気ファン（20）及び上記排気ファン（21）のうちの一方を第１ファンとし、他方を第２ファンとして上記第１ファンの質量流量が所定の第１流量となるように上記第１ファンの回転数を制御して、該第１ファンの回転数から上記第１ファンの静圧を算出すると共に、該静圧から上記第１ファンが設けられた通路の圧力損失である第１機外静圧を算出する第２工程と、
室内と室外とを非連通状態とする第３工程と、
上記第１ファンの質量流量が上記第１流量となるように上記第１ファンの回転数を制御すると共に、該第１ファンの回転数から算出される該第１ファンの静圧が上記第１機外静圧に上記目標差圧を加えた値となるように上記第２ファンの回転数を制御して、該第２ファンの回転数と電力とから上記第２ファンの質量流量を導出する第４工程と、
上記第１ファンの質量流量が上記第１流量となるように上記第１ファンの回転数を制御すると共に、上記第２ファンの質量流量が上記第４工程における算出値となるように上記第２ファンの回転数を制御する第５工程とを有している
ことを特徴とする換気装置による室内圧力調節方法。
【請求項７】
室外の空気を供給空気として室内に供給する給気ファン（20）と、室内の空気を排出空気として室外に排出する排気ファン（21）と、上記給気ファン（20）が設けられて上記供給空気が流れる供給通路と、上記排気ファン（21）が設けられて上記排出空気が流れる排出通路と、上記排出空気中の熱量を回収して上記供給空気に付与する熱量回収手段とを備え、上記室内の空気を換気しつつ室内外の差圧が上記目標差圧となるように室内圧力を調節する換気装置による室内圧力調節方法であって、
室内外の圧力差を計測する微差圧計（65）を設置する第１工程と、
上記給気ファン（20）及び上記排気ファン（21）のうちの一方を第１ファンとし、他方を第２ファンとして上記第１ファンの質量流量が所定の第１流量となるように上記第１ファンの回転数を制御すると共に、上記微差圧計（65）による計測値が上記目標差圧となるように上記第２ファンの回転数を制御して、該第２ファンの回転数と電力とから該第２ファンの質量流量を算出する第２工程と、
上記微差圧計（65）を取り外す第３工程と、
上記第１ファンの質量流量が上記第１流量となるように上記第１ファンの回転数を制御すると共に、上記第２ファンの質量流量が上記第２工程における算出値となるように上記第２ファンの回転数を制御する第４工程とを有している
ことを特徴とする換気装置による室内圧力調節方法。
【発明の詳細な説明】
【技術分野】
【０００１】
本発明は、室内の換気を行う換気装置に関し、特に、室内の圧力状態を陽圧状態又は陰圧状態に調節可能な換気装置による室内圧力調節方法に係るものである。
【背景技術】
【０００２】
従来より、室内の清浄性、あるいは快適性を維持するために室内の換気を行う換気装置が知られている。また、換気装置の中には、室内から室外へ排出される排出空気の熱量を回収し、該熱量を室外から室内に供給される供給空気に付与する熱量回収手段を設けたものがある（例えば、特許文献１参照）。この種の換気装置では、熱量回収手段によって、供給空気の温度又は湿度を排出空気の温度又は湿度（室内の温度又は湿度）に近づけてから、該供給空気が室内に供給される。よって、熱量回収手段を用いずに室外の空気をそのまま室内に供給する場合に比べて室内の空調負荷を低減することができる。
【０００３】
ところで、例えばビル等の施設では、室内の清浄性を維持する必要のある事務室や会議室等には、トイレや給湯室等から漏れた空気が流入しないように換気装置が設けられ、該換気装置によって室内が陽圧状態（室外圧力よりも高い圧力状態）となるように調節している。例えば、排気ファンによって排出される空気の量を給気ファンによって室内に供給される空気の量よりも多くなるように給気ファン及び排気ファンの運転を制御することによって室内を陽圧状態に調節することができる。
【先行技術文献】
【特許文献】
【０００４】
【特許文献１】特開平０５−２２３３０６号公報
【発明の概要】
【発明が解決しようとする課題】
【０００５】
ところで、上述のような熱量回収手段を備えた換気装置において、熱量回収を効率よく行うためには、供給空気と排出空気の量をなるべく等しくすることが好ましい。そのため、供給空気と排出空気の量の差が、室内を所望の圧力にするために必要となる最低限の差になるように給気ファン及び排気ファンを精度よく調節する必要がある。
【０００６】
そこで、予めダクト等における圧力損失（機外静圧）を考慮した給気側及び排気側の必要風量（必要質量流量）を算出し、該必要風量に基づいて給気ファン及び排気ファンの運転を制御することによって、熱量回収を効率よく行いつつ室内圧力を所定の圧力に調節することが考えられる。
【０００７】
しかしながら、換気装置を設置する際、現場の状況によって、設置位置が設計位置からずれてしまい、ダクトが設計通りに施工されないことが多い。ダクトが設計通りに施工されないと、給気側及び排気側のそれぞれのダクトにおける圧力損失が設計時の値からずれるために、給気ファン及び排気ファンを予め設定していた風量になるように運転を制御しても室内が所望の所定圧力に調節されなくなる虞があった。つまり、ダクトが設計通りに施工されないと室内圧力を設計通りに調節できなくなる虞があった。
【０００８】
本発明は、かかる点に鑑みてなされたものであり、その目的は、室内の換気を行うと共に室内の圧力調節が可能な換気装置において、室内の圧力調節の精度を向上することにある。
【課題を解決するための手段】
【０００９】
第１の発明は、室外の空気を供給空気として室内に供給する給気ファン（20）と、室内の空気を排出空気として室外に排出する排気ファン（21）と、上記給気ファン（20）が設けられて上記供給空気が流れる供給通路と、上記排気ファン（21）が設けられて上記排出空気が流れる排出通路と、上記排出空気中の熱量を回収して上記供給空気に付与する熱量回収手段（22）とを備え、上記室内の空気を換気しつつ室内外の差圧が所定の目標差圧となるように室内圧力を調節する換気装置であって、設置後の試運転において、上記給気ファン（20）及び上記排気ファン（21）のうちの一方を第１ファンとし、他方を第２ファンとして上記第１ファンの質量流量が所定の第１流量となるように上記第１ファンの運転を制御したときに、室内外の差圧が上記目標差圧となるような上記第２ファンの質量流量である第２流量を導出する導出手段（51）と、上記第１ファンの質量流量が上記第１流量となるように上記第１ファンの回転数を制御する一方、上記第２ファンの質量流量が上記第２流量となるように上記第２ファンの回転数を制御する本運転制御手段（52）とを備えている。
【００１０】
第１の発明では、換気装置の設置後の試運転において、第１ファンの質量流量を所定の第１流量としたときに室内外の差圧が目標差圧となるような第２ファンの質量流量である第２流量が導出される。そして、換気運転において、ファン制御手段が第１ファンの質量流量を第１流量に制御し、第２ファンの質量流量を第２流量に制御することで室内外の差圧が目標差圧になるように室内圧力が制御される。
【００１１】
第２の発明は、第１の発明において、上記導出手段（51）は、室内外の圧力差のない状態において、上記第１ファンの質量流量が上記第１流量となるように上記第１ファンの回転数を制御して、該第１ファンの回転数から該第１ファンの静圧を算出すると共に、該静圧から該第１ファンが設けられた通路の圧力損失である第１機外静圧を算出し、室内と室外とが連通していない状態において、上記第１ファンの質量流量が上記第１流量となるように上記第１ファンの回転数を制御すると共に、該第１ファンの回転数から算出される上記第１ファンの静圧が上記第１機外静圧に上記目標差圧を加えた値となるように上記第２ファンの回転数を制御して、該第２ファンの回転数と電力とから上記第２ファンの質量流量を導出するように構成されている。
【００１２】
第２の発明では、導出手段（51）は、室内外の圧力差のない状態において、第１ファンの質量流量が第１流量となるように第１ファンの回転数を制御し、そのときの第１ファンが設けられた通路の圧力損失である第１機外静圧を算出する。このとき、室内外の圧力差はないため、第１機外静圧は、第１ファンの静圧に等しくなる。そして、次に、導出手段（51）は、室内と室外とが連通していない状態において、第１ファンの質量流量が第１流量となるように第１ファンの回転数を制御すると共に、第１ファンの静圧が第１機外静圧に目標差圧を加えた値となるように第２ファンの回転数を制御し、その際の第２ファンの電力及び回転数から第２ファンの質量流量を算出する。つまり、導出手段（51）は、室内外の差圧が目標差圧となるように第２ファンの回転数を制御して、その際の第２ファンの質量流量（第２流量）を算出する。
【００１３】
第３の発明は、第１の発明において、上記試運転の際には、室内外の圧力差を計測する微差圧計（65）が上記導出手段（51）に接続され、上記導出手段（51）は、上記第１ファンの質量流量が上記第１流量となるように上記第１ファンの回転数を制御すると共に、上記微差圧計（65）の計測値が上記目標差圧となるように第２ファンの回転数を制御して、該第２ファンの回転数と電力とから該第２ファンの質量流量を算出するように構成されている。
【００１４】
第３の発明では、導出手段（51）は、第１ファンの質量流量が第１流量となるように第１ファンの回転数を制御する。このとき、導出手段（51）には、微差圧計（65）によって計測された室内外の差圧が入力される。そして、導出手段（51）は、微差圧計（65）の計測値が目標差圧となるように第２ファンの回転数を制御し、その際の第２ファンの電力及び回転数から第２ファンの質量流量を算出する。つまり、導出手段（51）は、第１ファンの質量流量が第１流量であり且つ室内外の差圧が目標差圧であるときの第２ファンの質量流量（第２流量）を算出する。
【００１５】
第４の発明は、第２又は第３の発明において、上記第１ファンは上記給気ファン（20）によって構成される一方、上記第２ファンは上記排気ファン（21）によって構成され、上記本運転制御手段（52）は、室内圧力が室外圧力よりも所定値だけ高い圧力となるように両ファン（20,21）の回転数を制御するように構成されている。
【００１６】
第４の発明では、室内圧力が室外圧力よりも目標差圧分だけ高い圧力となるように調節される。
【００１７】
第５の発明は、第２又は第３の発明において、上記第１ファンは上記排気ファン（21）によって構成される一方、上記第２ファンは上記給気ファン（20）によって構成され、上記本運転制御手段（52）は、室内圧力が室外圧力よりも所定値だけ低い圧力となるように両ファン（20,21）の回転数を制御するように構成されている。
【００１８】
第５の発明では、室内圧力が室外圧力よりも目標差圧分だけ低い圧力となるように調節される。
【００１９】
第６の発明は、室外の空気を供給空気として室内に供給する給気ファン（20）と、室内の空気を排出空気として室外に排出する排気ファン（21）と、上記給気ファン（20）が設けられて上記供給空気が流れる供給通路と、上記排気ファン（21）が設けられて上記排出空気が流れる排出通路と、上記排出空気中の熱量を回収して上記供給空気に付与する熱量回収手段とを備え、上記室内の空気を換気しつつ室内外の差圧が上記目標差圧となるように室内圧力を調節する換気装置による室内圧力調節方法であって、室内圧力と室外圧力とを等圧力状態とする第１工程と、上記給気ファン（20）及び上記排気ファン（21）のうちの一方を第１ファンとし、他方を第２ファンとして上記第１ファンの質量流量が所定の第１流量となるように上記第１ファンの回転数を制御して、該第１ファンの回転数から上記第１ファンの静圧を算出すると共に、該静圧から上記第１ファンが設けられた通路の圧力損失である第１機外静圧を算出する第２工程と、室内と室外とを非連通状態とする第３工程と、上記第１ファンの質量流量が上記第１流量となるように上記第１ファンの回転数を制御すると共に、該第１ファンの回転数から算出される該第１ファンの静圧が上記第１機外静圧に上記目標差圧を加えた値となるように上記第２ファンの回転数を制御して、該第２ファンの回転数と電力とから上記第２ファンの質量流量を導出する第４工程と、上記第１ファンの質量流量が上記第１流量となるように上記第１ファンの回転数を制御すると共に、上記第２ファンの質量流量が上記第４工程における算出値となるように上記第２ファンの回転数を制御する第５工程とを有している。
【００２０】
第６の発明では、第１及び第２工程において、室内圧力と室外圧力とを等圧力状態とした上で、第１ファンの質量流量が所定の第１流量であるときの第１ファンが設けられた通路における圧力損失（第１機外静圧）が算出される。具体的には、室内圧力と室外圧力とが等圧力状態である場合、上記第１機外静圧は第１ファンの静圧に等しくなる。そのため、質量流量が第１流量となるように第１ファンの回転数を制御して、そのときの第１ファンの回転数を計測することにより、第１機外静圧が容易に算出される。そして、次に、第３及び第４工程において、室内と室外とを非連通状態とした上で、上記第１機外静圧を用いて室内圧力と室外圧力との差圧を目標差圧に制御して、その際の第２ファンの質量流量が算出される。具体的には、質量流量が第１流量となるように第１ファンの回転数を制御すると共に、第１ファンの回転数から算出される第１ファンの静圧が上記第１機外静圧に目標差圧を加えた値となるように第２ファンの回転数を制御する。これにより、室内圧力と室外圧力の差圧が目標差圧となり、第４工程において、その際の第２ファンの質量流量が算出される。つまり、室内圧力と室外圧力との差圧が目標差圧となったときの第２ファンの質量流量が算出される。そして、以降、質量流量が第１流量となるように第１ファンの回転数を制御し、質量流量が第４工程における算出値となるように第２ファンの回転数を制御することで、室外圧力との差圧が目標差圧となるように室内圧力が調節される。
【００２１】
第７の発明は、室外の空気を供給空気として室内に供給する給気ファン（20）と、室内の空気を排出空気として室外に排出する排気ファン（21）と、上記給気ファン（20）が設けられて上記供給空気が流れる供給通路と、上記排気ファン（21）が設けられて上記排出空気が流れる排出通路と、上記排出空気中の熱量を回収して上記供給空気に付与する熱量回収手段とを備え、上記室内の空気を換気しつつ室内外の差圧が上記目標差圧となるように室内圧力を調節する換気装置による室内圧力調節方法であって、室内外の圧力差を計測する微差圧計（65）を設置する第１工程と、上記給気ファン（20）及び上記排気ファン（21）のうちの一方を第１ファンとし、他方を第２ファンとして上記第１ファンの質量流量が所定の第１流量となるように上記第１ファンの回転数を制御すると共に、上記微差圧計（65）による計測値が上記目標差圧となるように上記第２ファンの回転数を制御して、該第２ファンの回転数と電力とから該第２ファンの質量流量を算出する第２工程と、上記微差圧計（65）を取り外す第３工程と、上記第１ファンの質量流量が上記第１流量となるように上記第１ファンの回転数を制御すると共に、上記第２ファンの質量流量が上記第２工程における算出値となるように上記第２ファンの回転数を制御する第４工程とを有している。
【００２２】
第７の発明では、第１及び第２工程において、室内外の圧力差を計測する微差圧計（65）を設け、室内圧力と室外圧力との差圧が目標差圧となるように両ファンを制御して、その際の両ファンの質量流量を導出する。具体的には、質量流量が第１流量となるように第１ファンの回転数を制御すると共に、微差圧計（65）の計測値が目標差圧となるように第２ファンの回転数を制御して、その際の第２ファンの質量流量を算出する。これにより、第１ファンの質量流量が第１流量であり且つ室内圧力と室外圧力との差圧が目標差圧となるときの第２ファンの質量流量が算出される。そして、以降、質量流量が第１流量となるように第１ファンの回転数を制御し、質量流量が第２工程における算出値となるように第２ファンの回転数を制御することで、室外圧力との差圧が目標差圧となるように室内圧力が調節される。
【発明の効果】
【００２３】
本発明によれば、設置後に、第１ファンの質量流量を第１流量として試運転した際に、室内外の差圧が目標差圧となるような第２ファンの質量流量である第２流量を導出する導出手段（51）を備えることとした。そのため、換気装置が設計時の設置位置からずれた位置に設置されたとしても、室内を室外圧力よりも所定値だけ低い圧力又は所定値だけ高い圧力に精度よく且つ容易に調節することができる。
【００２４】
また、第２の発明によれば、室内外の圧力差がない状態において第１ファンを質量流量が所定の第１流量になるように運転することにより、第１ファンの質量流量が第１流量であるときの第１ファンが設けられた通路の圧力損失（第１機外静圧）を容易に算出することができる。そして、該第１機外静圧を用いることにより、室内と室外とが連通していない状態において、室内外の圧力を実際に測定することなく、室内外の差圧が目標差圧となるような第２ファンの質量流量（第２流量）を容易に算出することができる。従って、室内を室外圧力よりも所定値だけ高い圧力又は所定値だけ低い圧力に精度よく調節することができると共に、このような室内圧力の調整を容易に行うことができる。
【００２５】
また、第３の発明によれば、室内外の圧力差を計測する微差圧計（65）を用いることによって、第１ファンの質量流量が所定の第１流量であるときに、室内外の差圧が目標差圧となるような第２ファンの質量流量を容易に算出することができる。従って、室内を室外圧力よりも所定値だけ高い圧力又は所定値だけ低い圧力に精度よく調節することができると共に、このような室内圧力の調整を容易に行うことができる。
【００２６】
また、第４の発明によれば、室内を室外圧力よりも高い陽圧状態に容易に調節できる。
【００２７】
また、第５の発明によれば、室内を室外圧力よりも低い陰圧状態に容易に調節できる。
【００２８】
また、第６の発明によれば、換気装置の設置後に、室内圧力と室外圧力とを等圧力状態にして第１ファンを運転することによって、容易に質量流量が第１流量であるときの第１機外静圧（第１ファンが設けられた通路の圧力損失）を算出することができる。また、該第１機外静圧を算出することにより、室内外の圧力を実際に測定することなく、室内外の差圧が目標差圧となるように第２ファンの回転数を容易に制御することができる。そのため、質量流量が所定の第１流量となるように第１ファンを運転したときに、室内外の差圧が目標差圧となるような第２ファンの質量流量を容易に算出することができる。従って、換気装置が設計時の設置位置からずれた位置に設置されたとしても、室内を室外圧力よりも所定値だけ高い圧力又は所定値だけ低い圧力に精度よく調節することができると共に、このような室内圧力の調整を容易に行うことができる。
【００２９】
また、第７の発明によれば、換気装置の設置後に、微差圧計（65）を設けて試運転を行うことによって、室内外の差圧が目標差圧となるときの両ファン（20,21）の質量流量を容易に導出することができる。従って、換気装置が設計時の設置位置からずれた位置に設置されたとしても、室内を室外圧力よりも所定値だけ高い圧力又は所定値だけ低い圧力に精度よく調節することができると共に、このような室内圧力の調整を容易に行うことができる。
【図面の簡単な説明】
【００３０】
【図１】図１は、本実施形態１に係る換気装置の外形図であり、（Ａ）は平面図であり、（Ｂ）は側面図である。
【図２】図２は、本実施形態１に係る換気装置の設置図であり、（Ａ）は平面図であり、（Ｂ）は側面図である。
【図３】図３は、本実施形態１に係る換気装置の制御コントローラの概略構成を示すブロック図である。
【図４】図４（Ａ）は、本実施形態１に係る換気装置の給気ファンの質量流量が所定流量Ｑs1であるときの給気ファンの回転数と消費電力の関係を示す図であり、図４（Ｂ）は、本実施形態１に係る換気装置の給気ファンの質量流量が所定流量Ｑs1であるときの給気ファンの回転数と静圧の関係を示す図である。
【図５】図５は、本実施形態１に係る換気装置の陽圧設定時の室内圧力調節運転のフローチャートである。
【図６】図６は、本実施形態１に係る換気装置の陰圧設定時の室内圧力調節運転のフローチャートである。
【図７】図７は、本実施形態２に係る換気装置の制御コントローラの概略構成を示すブロック図である。
【図８】図８は、本実施形態２に係る換気装置の陽圧設定時の室内圧力調節運転のフローチャートである。
【図９】図９は、本実施形態２に係る換気装置の陰圧設定時の室内圧力調節運転のフローチャートである。
【図１０】図１０は、その他の実施形態に係る換気装置を構成する調湿ユニットの概略構成を示す図である。
【発明を実施するための形態】
【００３１】
以下、本発明の実施形態を図面に基づいて詳細に説明する。
【００３２】
〈実施形態１〉
図１及び図２に示すように、本実施形態の換気装置は、天井埋込ダクト形の全熱交換器ユニット（1）を備えている。なお、以下の説明で用いる「右」「左」「上」「下」「手前」「奥」という語句の意味は、特にことわらない限り、いずれも図１に示す状態の意味である。
【００３３】
図１に示すように、この全熱交換器ユニット（1）は、横長で扁平な直方体状のケーシング（10）を備えている。上記ケーシング（10）の右側板（11）には、外気吸込ダクト接続部（13）と排気ダクト接続部（14）とが１つずつ設けられている。この右側板（11）において、外気吸込ダクト接続部（13）は奥側に配置され、排気ダクト接続部（14）は手前側に配置されている。
【００３４】
一方、上記ケーシング（10）の左側板（12）には、内気吸込ダクト接続部（15）と給気ダクト接続部（16）とが設けられている。この左側板（12）において、内気吸込ダクト接続部（15）は手前側に配置され、給気ダクト接続部（16）は奥側に配置されている。
【００３５】
上記ケーシング（10）の内部空間は、図示しないが、給気側通路と排気側通路とに仕切られている。この給気側通路は、外気吸込ダクト接続部（13）及び給気ダクト接続部（16）の開口部と連通している。上記排気側通路は、内気吸込ダクト接続部（15）及び排気ダクト接続部（14）の開口部と連通している。そして、上記給気側通路には給気ファン（20）が設けられ、上記排気側通路には排気ファン（21）が設けられている。
【００３６】
これらのファン（20，21）は、いずれもいわゆるシロッコファンであるファン本体と、これを駆動するファンモータとによって構成されている。上記ファンモータは、ファンの回転速度を調整することによってその回転数が変更可能に構成されている。
【００３７】
また、上記給気ファン（20）には、該給気ファン（20）の電力を検出する給気ファン電力計（61）と、給気ファン（20）の回転数を検出する給気ファン回転数センサ（62）とが接続されている（図３参照）。一方、上記排気ファン（21）には、該排気ファン（21）の電力を検出する排気ファン電力計（63）と、排気ファン（21）の回転数を検出する排気ファン回転数センサ（64）とが接続されている（図３参照）。
【００３８】
上記ケーシング（10）の内部空間には、上記給気側通路と排気側通路とに跨って、全熱交換器（22）が設けられている。この全熱交換器（22）は、端面が正方形となった四角柱状に形成され、全熱交換器（22）では、平板部材（図示なし）と波板部材（図示なし）とがその長手方向へ交互に配置されている。この全熱交換器（22）は、室外の空気を流すための給気流路と、室内の空気を流すための排気流路とが、平板部材を挟んで交互に形成され、給気流路の伸長方向と排気流路の伸長方向が互いに直交する直交流型の熱交換器を構成している。尚、上記給気流路は上記給気側通路に連通し、上記排気流路は上記排気側通路に連通している。
【００３９】
また、上記全熱交換器（22）の平板部材は、例えば紙などの透湿性の材料で構成されている。全熱交換器（22）では、給気流路を流れる室外の空気と排気流路を流れる室内の空気のうちの一方から他方へ熱と水分が移動する。そして、全熱交換器（22）は、排気流路を流れる排出空気中の熱量（顕熱、潜熱）を回収して給気流路を流れる供給空気に付与する本発明に係る熱量回収手段を構成している。
【００４０】
上記ケーシング（10）の手前側の側板には、制御ボックス（23）が取り付けられている。該制御ボックス（23）内には上記給気ファン（20）及び上記排気ファン（21）の運転を制御するための制御コントローラ（2）が収納されている。この制御コントローラ（2）によって、室内圧力調節運転が制御される。室内圧力調節運転は、給気ファン（20）と排気ファン（21）との風量（質量流量）を異ならせることにより室内圧力を室外圧力よりも高い陽圧状態又は室外圧力よりも低い陰圧状態に調節する。尚、詳細については後述するが、室内圧力調節運転は、両ファン（20,21）の質量流量を決定するための試運転と、該試運転によって決定された質量流量となるように両ファン（20,21）を運転する本運転とによって構成されている。
【００４１】
図２に示すように、上記全熱交換器ユニット（1）は室内の天井裏に設置されている。天井には、給気口を有する給気グリル（30）と排気口を有する排気グリル（31）とが設けられている。上記給気グリル（30）には第１給気ダクト（40）の一端が接続され、他端は上記全熱交換器ユニット（1）の給気ダクト接続部（16）が接続されている。上記排気グリル（31）には第１排気ダクト（42）の一端が接続され、他端は上記全熱交換器ユニット（1）の内気吸込ダクト接続部（15）に接続されている。
【００４２】
また、室内と室外とを仕切る壁体には給気用丸型フード（32）と排気用丸型フード（33）とが設けられている。上記各丸型フード（32，33）は通気口を有している。上記給気用丸型フード（32）には第２給気ダクト（41）の一端が接続され、他端は上記全熱交換器ユニット（1）の外気吸込ダクト接続部（13）に接続されている。上記排気用丸型フード（33）には第２排気ダクト（43）の一端が接続され、他端は上記全熱交換器ユニット（1）の排気ダクト接続部（14）に接続されている。
【００４３】
このような構成により、給気用丸型フード（32）、第２給気ダクト（41）、全熱交換器ユニット（1）の給気側通路、第１給気ダクト（40）及び給気グリル（30）によって給気ファン（20）が設けられて室外から室内に供給空気を流通させる供給通路が構成されている。一方、排気グリル（31）、第１排気ダクト（42）、全熱交換器ユニット（1）の排気側通路、第２排気ダクト（43）及び排気用丸型フード（33）によって排気ファン（21）が設けられて室内から室外に排出空気を流通させる排出通路が構成されている。
【００４４】
室内には操作部であるリモコン（34）が設置されている。該リモコン（34）は、使用者が全熱交換器ユニット（1）を操作するために用いるものであり、上記制御ボックス（23）の制御コントローラ（2）と電気配線で接続されている。
【００４５】
上記リモコン（34）は、全熱交換器ユニット（1）の上記室内圧力調節運転を開始及び停止するための運転信号を上記電気配線を介して上記制御コントローラ（2）に出力するように構成されている。
【００４６】
図３に示すように、上記制御コントローラ（2）は、上記試運転を制御する試運転制御手段（51）と、上記本運転を制御する本運転制御手段（52）とを備えている。尚、制御コントローラ（2）には、給気ファン（20）に接続された給気ファン電力計（61）及び給気ファン回転数センサ（62）と、排気ファン（21）に接続された排気ファン電力計（63）及び排気ファン回転数センサ（64）とが接続され、これらの検出値が入力される。
【００４７】
上記試運転制御手段（51）は、第１試運転制御部（53）と、機外静圧算出部（54）と、第２試運転制御部（55）と、質量流量算出部（56）とを備えている。尚、試運転制御手段（51）は、本発明に係る導出手段を構成する。
【００４８】
上記第１試運転制御部（53）は、上記試運転のうちの第１試運転を室内外の圧力差のない状態において実行する。具体的には、第１試運転制御部（53）は、陽圧設定の場合には、給気ファン（20）の質量流量が所定流量Ｑs1となるように給気ファン（20）の回転数を制御する一方、陰圧設定の場合には、排気ファン（21）の質量流量が所定流量Ｑe1となるように排気ファン（21）の回転数を制御する第１試運転を実行する。
【００４９】
尚、ここで、制御コントローラ（2）には、給気ファン（20）の質量流量に対する必要電力と回転数との関係を示す給気側電力回転数相関データ（図４（Ａ）参照）と、排気ファン（21）の質量流量に対する必要電力と回転数との関係を示す排気側電力回転数相関データが予め記憶されている。尚、図４（Ａ）では、給気ファン（20）の質量流量が所定流量Ｑs1であるときの給気ファン（20）の回転数と消費電力との関係が示されている。
【００５０】
そして、第１試運転制御部（53）は、陽圧設定の場合には、上記給気側電力回転数相関データと上記給気ファン電力計（61）の検出値ｗs1とから、給気ファン（20）の質量流量が所定流量Ｑs1となる回転数ｒs1を導出し、給気ファン（20）の回転数がｒs1となるように制御する。一方、第１試運転制御部（53）は、陰圧設定の場合には、上記排気側電力回転数相関データと上記排気ファン電力計（63）の検出値ｗe1とから、排気ファン（21）の質量流量が所定流量Ｑe1となる回転数ｒe1を導出し、給気ファン（20）の回転数がｒe1となるように制御する。
【００５１】
上記機外静圧算出部（54）は、上記第１試運転において回転数が制御されたファン（20,21）の回転数から該ファン（20,21）の機外静圧を算出する。具体的には、機外静圧算出部（54）は、陽圧設定の場合には、給気ファン（20）の回転数ｒs1から該給気ファン（20）の機外静圧Ｐs1を算出する。一方、機外静圧算出部（54）は、陰圧設定の場合には、排気ファン（21）の回転数ｒe1から該排気ファン（21）の機外静圧Ｐe1を算出する。
【００５２】
尚、ここで「機外静圧」とは、各ファン（20,21）が設けられた通路（供給通路、排出通路）における圧力損失を言う。
【００５３】
また、制御コントローラ（2）には、給気ファン（20）の質量流量に対する回転数と静圧との関係を示す給気側回転数静圧相関データ（図４（Ｂ）参照）と、排気ファン（21）の質量流量に対する回転数と静圧との関係を示す排気側回転数静圧相関データが予め記憶されている。尚、図４（Ｂ）では、給気ファン（20）の質量流量が所定流量Ｑs1であるときの給気ファン（20）の回転数と静圧との関係が示されている。
【００５４】
尚、室内圧力と室外圧力とが等圧力状態である場合、各ファン（20,21）の静圧は各ファン（20,21）の機外静圧に等しくなる。よって、上記機外静圧算出部（54）は、陽圧設定の場合には、給気ファン（20）の静圧から該給気ファン（20）の機外静圧Ｐs1を算出する一方、陰圧設定の場合には、排気ファン（21）の静圧から該排気ファン（21）の機外静圧Ｐe1を算出する。
【００５５】
つまり、上記機外静圧算出部（54）は、陽圧設定の場合には、上記給気側回転数静圧相関データと上記給気ファン回転数センサ（62）の検出値ｒs1とから、給気ファン（20）の質量流量が所定流量Ｑs1であるときの給気ファン（20）の静圧を算出する。そして、該静圧から給気ファン（20）の機外静圧Ｐs1を算出する。一方、上記機外静圧算出部（54）は、陰圧設定の場合には、上記排気側回転数静圧相関データと上記排気ファン回転数センサ（64）の検出値ｒe1とから、排気ファン（21）の質量流量が所定流量Ｑe1であるときの排気ファン（21）の静圧を算出する。そして、該静圧から排気ファン（21）の機外静圧Ｐe1を算出する。
【００５６】
上記第２試運転制御部（55）は、上記試運転のうちの第２試運転を室内と室外とが連通していない状態において実行する。具体的には、第２試運転制御部（55）は、陽圧設定の場合には、給気ファン（20）の質量流量が所定流量Ｑs1となるように給気ファン（20）の回転数を制御すると共に、上記給気側回転数静圧相関データと給気ファン（20）の回転数から算出される給気ファン（20）の静圧Ｐsが上記機外静圧算出部（54）によって算出された機外静圧Ｐs1に目標差圧ΔＰを加えた値となるように排気ファン（21）の回転数を制御する第２試運転を実行する。一方、第２試運転制御部（55）は、陰圧設定の場合には、排気ファン（21）の質量流量が所定流量Ｑe1となるように排気ファン（21）の回転数を制御すると共に、上記排気側回転数静圧相関データと排気ファン（21）の回転数から算出される排気ファン（21）の静圧Ｐeが上記機外静圧算出部（54）によって算出された機外静圧Ｐe1に目標差圧ΔＰを加えた値となるように給気ファン（20）の回転数を制御する第２試運転を実行する。
【００５７】
上記質量流量算出部（56）は、陽圧設定の場合には、給気ファン（20）の質量流量がＱs1であり且つ給気ファン（20）の静圧Ｐsが上記機外静圧算出部（54）によって算出された機外静圧Ｐs1に目標差圧ΔＰを加えた値であるときの排気ファン（21）の電力ｗe2及び回転数ｒe2から該排気ファン（21）の質量流量Ｑe2を算出する。一方、上記質量流量算出部（56）は、陰圧設定の場合には、排気ファン（21）の質量流量がＱe1であり且つ排気ファン（21）の静圧Ｐeが上記機外静圧算出部（54）によって算出された機外静圧Ｐe1に目標差圧ΔＰを加えた値であるときの給気ファン（20）の電力ｗs2及び回転数ｒs2から該給気ファン（20）の質量流量Ｑs2を算出する。
【００５８】
尚、上記質量流量算出部（56）は、陽圧設定の場合には、上記排気側電力回転数相関データと上記排気ファン電力計（63）の検出値ｗe2と上記排気ファン回転数センサ（64）の検出値ｒe2とから排気ファン（21）の質量流量Ｑe2を算出する。一方、上記質量流量算出部（56）は、陰圧設定の場合には、上記給気側回転数静圧相関データと上記給気ファン電力計（61）の検出値ｗs2と上記給気ファン回転数センサ（62）の検出値ｒs2とから給気ファン（20）の質量流量Ｑs2を算出する。
【００５９】
本運転制御手段（52）は、両ファン（20,21）の質量流量が試運転制御手段（51）による試運転によって算出された質量流量（Ｑs1、Ｑe2）（Ｑs2、Ｑe1）となるように両ファン（20,21）の回転数を制御する。
【００６０】
−室内圧力調節運転−
以下、室内圧力調節運転中の動作について図５、６のフローを用いて説明する。尚、上述したように、室内圧力調節運転は、試運転と本運転とによって構成される。また、室内を陽圧状態とする陽圧設定時と、室内を陰圧状態とする陰圧設定時とに分けて説明する。
【００６１】
（陽圧設定）
まず、陽圧設定時の運転について図５を用いて説明する。制御コントローラ（2）は、以下のステップＳ１〜ステップＳ８において試運転を実行し、ステップＳ９において本運転を実行する。
【００６２】
ステップＳ１において、例えば窓（35）（図２（Ｂ）参照）を開ける等により、室内と室外とを連通させて室内圧力と室外圧力とを等圧力状態とする。そして、使用者によってリモコン（34）を介して、室内を陽圧状態とする旨及び室内外の目標圧力差ΔＰが制御コントローラ（2）に入力されると、該制御コントローラ（2）は、給気ファン（20）と排気ファン（21）の運転を開始し、ステップＳ２に進む。
【００６３】
ステップＳ２では、制御コントローラ（2）の第１試運転制御部（53）が第１試運転を実行する。具体的には、第１試運転制御部（53）が給気ファン（20）の質量流量Ｑsが所定流量Ｑs1となるように給気ファン（20）の回転数を制御する。
【００６４】
ステップＳ３では、制御コントローラ（2）が、給気ファン（20）の質量流量Ｑsが所定流量Ｑs1であるか否かを判定する。該判定がＹｅｓの場合はステップＳ４に進む一方、Ｎｏの場合はステップＳ２に戻ってステップＳ２及びＳ３を繰り返す。
【００６５】
ステップＳ４では、制御コントローラ（2）の機外静圧算出部（54）が、上記給気側回転数静圧相関データと上記給気ファン回転数センサ（62）の検出値ｒs1とから、給気ファン（20）の質量流量が所定流量Ｑs1であるときの給気ファン（20）の静圧を算出し、該静圧から機外静圧Ｐs1を算出する。
【００６６】
ステップＳ５では、例えば、室内外を連通する窓（35）等を締め切り、室内外の連通状態を解除する。
【００６７】
ステップＳ６では、制御コントローラ（2）の第２試運転制御部（55）が第２試運転を実行する。具体的には、第２試運転制御部（55）が、給気ファン（20）の質量流量が所定流量Ｑs1となるように給気ファン（20）の回転数を制御すると共に、上記給気側回転数静圧相関データと給気ファン（20）の回転数から算出される給気ファン（20）の静圧Ｐsが上記機外静圧算出部（54）によって算出された機外静圧Ｐs1に目標差圧ΔＰを加えた値となるように排気ファン（21）の回転数を制御する。
【００６８】
ステップＳ７では、制御コントローラ（2）が、給気ファン（20）の静圧Ｐsが上記機外静圧Ｐs1に目標差圧ΔＰを加えた値であるか否かを判定する。該判定がＹｅｓの場合はステップＳ８に進む一方、Ｎｏの場合はステップＳ６に戻ってステップＳ６及びＳ７を繰り返す。
【００６９】
ステップＳ８では、制御コントローラ（2）の質量流量算出部（56）が、上記排気側電力回転数相関データと上記排気ファン電力計（63）の検出値ｗe2と上記排気ファン回転数センサ（64）の検出値ｒe2とから、給気ファン（20）の質量流量がＱs1であり且つ給気ファン（20）の静圧Ｐsが上記機外静圧Ｐs1に目標差圧ΔＰを加えた値であるときの排気ファン（21）の質量流量Ｑe2を算出する。
【００７０】
ステップＳ９では、制御コントローラ（2）の本運転制御手段（52）が給気ファン（20）の質量流量がＱs1、排気ファン（21）の質量流量がＱe2となるように両ファン（20,21）の回転数を制御する。具体的には、本運転制御手段（52）は、上記給気側電力回転数相関データと上記給気ファン電力計（61）の検出値ｗsとから、給気ファン（20）の質量流量が所定流量Ｑs1となる回転数ｒsを導出し、給気ファン（20）の回転数がｒsとなるように制御する。一方、本運転制御手段（52）は、上記排気側電力回転数相関データと上記排気ファン電力計（63）の検出値ｗeとから、排気ファン（21）の質量流量が所定流量Ｑe2となる回転数ｒeを導出し、給気ファン（20）の回転数がｒeとなるように制御する。
【００７１】
尚、本運転において、室外の空気は上記給気用丸型フード（32）から第２給気ダクト（41）及び全熱交換器ユニット（1）の給気側通路を通って給気ファン（20）に吸い込まれる。一方、室内の空気は上記排気グリル（31）から第１排気ダクト（42）及び全熱交換器ユニット（1）の排気側通路を通って上記排気ファン（21）に吸い込まれる。尚、上記全熱交換器（22）において、排気流路を流れる空気から給気流路を流れる空気に熱量（顕熱、潜熱）が回収され、供給空気は排気空気の温度と湿度に近づく。
【００７２】
そして、上記給気ファン（20）に吸い込まれた室外の空気は、該給気ファン（20）から吹き出されて第１給気ダクト（40）に流入し、該第１給気ダクト（40）を通過した後、供給空気として給気グリル（30）から室内へ吹き出される。一方、上記排気ファン（21）に吸い込まれた室内の空気は、該排気ファン（21）から吹き出されて第２排気ダクト（43）に流入し、該第２排気ダクト（43）を通過した後、排出空気として排気用丸型フード（33）から室外へ排出される。
【００７３】
尚、給気ファン（20）の質量流量Ｑs1は、排気ファン（21）の質量流量Ｑe2よりも多い。そのため、陽圧設定では、本運転によって室内の空気が換気されると共に、室内圧力が室外圧力よりも目標差圧ΔＰだけ高い圧力に調節される。
【００７４】
（陰圧設定）
次に、陰圧設定時の運転について図６を用いて説明する。制御コントローラ（2）は、以下のステップＳ１１〜ステップＳ１８において試運転を実行し、ステップＳ１９において本運転を実行する。
【００７５】
ステップＳ１１において、例えば、室内と室外とを連通させて室内圧力と室外圧力とを等圧力状態とする。そして、使用者によってリモコン（34）を介して、室内を陰圧状態とする旨及び室内外の目標圧力差ΔＰが制御コントローラ（2）に入力されると、該制御コントローラ（2）は、給気ファン（20）と排気ファン（21）の運転を開始し、ステップＳ１２に進む。
【００７６】
ステップＳ１２では、制御コントローラ（2）の第１試運転制御部（53）が第１試運転を実行する。具体的には、第１試運転制御部（53）が排気ファン（21）の質量流量Ｑeが所定流量Ｑe1となるように排気ファン（21）の回転数を制御する。
【００７７】
ステップＳ１３では、制御コントローラ（2）が、排気ファン（21）の質量流量Ｑeが所定流量Ｑe1であるか否かを判定する。該判定がＹｅｓの場合はステップＳ１４に進む一方、Ｎｏの場合はステップＳ１２に戻ってステップＳ１２及びＳ１３を繰り返す。
【００７８】
ステップＳ１４では、制御コントローラ（2）の機外静圧算出部（54）が、上記排気側回転数静圧相関データと上記排気ファン回転数センサ（64）の検出値ｒe1とから、排気ファン（21）の質量流量が所定流量Ｑe1であるときの排気ファン（21）の静圧を算出し、該静圧から機外静圧Ｐe1を算出する。
【００７９】
ステップＳ１５では、例えば、室内外を連通する窓（35）等を締め切り、室内外の連通状態を解除する。
【００８０】
ステップＳ１６では、制御コントローラ（2）の第２試運転制御部（55）が第２試運転を実行する。具体的には、第２試運転制御部（55）が、排気ファン（21）の質量流量が所定流量Ｑe1となるように排気ファン（21）の回転数を制御すると共に、上記排気側回転数静圧相関データと排気ファン（21）の回転数から算出される排気ファン（21）の静圧Ｐeが上記機外静圧算出部（54）によって算出された機外静圧Ｐe1に目標差圧ΔＰを加えた値となるように給気ファン（20）の回転数を制御する。
【００８１】
ステップＳ１７では、制御コントローラ（2）が、排気ファン（21）の静圧Ｐeが上記機外静圧Ｐe1に目標差圧ΔＰを加えた値であるか否かを判定する。該判定がＹｅｓの場合はステップＳ１８に進む一方、Ｎｏの場合はステップＳ１６に戻ってステップＳ１６及びＳ１７を繰り返す。
【００８２】
ステップＳ１８では、制御コントローラ（2）の質量流量算出部（56）が、上記給気側電力回転数相関データと上記給気ファン電力計（61）の検出値ｗs2と上記給気ファン回転数センサ（62）の検出値ｒs2とから、排気ファン（21）の質量流量がＱe1であり且つ排気ファン（21）の静圧Ｐeが上記機外静圧Ｐe1に目標差圧ΔＰを加えた値であるときの給気ファン（20）の質量流量Ｑs2を算出する。
【００８３】
ステップＳ１９では、制御コントローラ（2）の本運転制御手段（52）が排気ファン（21）の質量流量がＱe1、給気ファン（20）の質量流量がＱs2となるように両ファン（20,21）の回転数を制御する。具体的には、本運転制御手段（52）は、上記排気側電力回転数相関データと上記排気ファン電力計（63）の検出値ｗeとから、排気ファン（21）の質量流量が所定流量Ｑe1となる回転数ｒeを導出し、排気ファン（21）の回転数がｒeとなるように制御する。一方、本運転制御手段（52）は、上記給気側電力回転数相関データと上記給気ファン電力計（61）の検出値ｗsとから、給気ファン（20）の質量流量が所定流量Ｑs2となる回転数ｒsを導出し、排気ファン（21）の回転数がｒsとなるように制御する。
【００８４】
尚、本運転における室外の空気及び室内の空気の流れは陽圧設定の場合と同様であるため説明を省略する。
【００８５】
また、排気ファン（21）の質量流量Ｑe1は、給気ファン（20）の質量流量Ｑs2はよりも多い。そのため、陰圧設定では、本運転によって室内の空気が換気されると共に、室内圧力が室外圧力よりも目標差圧ΔＰだけ低い圧力に調節される。
【００８６】
−実施形態１の効果−
以上より、全熱交換器ユニット（1）を備えた実施形態１の換気装置は、設置後に、２つのファン（20,21）のうちの給気ファン（20）（排気ファン（21））の質量流量をＱs1（Ｑe1）として試運転した際に、室内外の差圧が目標差圧ΔＰとなるような排気ファン（21）（給気ファン（20））の質量流量Ｑe2（Ｑs2）を導出する導出手段としての試運転制御手段（51）を備えている。そのため、換気装置が設計時の設置位置からずれた位置に設置されたとしても、室内を室外圧力よりも所定値（ΔＰ）だけ高い圧力又は低い圧力に精度よく且つ容易に調節することができる。
【００８７】
尚、本換気装置では、室内外の圧力差がない状態において給気ファン（20）（排気ファン（21））の質量流量をＱs1（Ｑe1）とする第１試運転を行うことにより、給気ファン（20）（排気ファン（21））の質量流量がＱs1（Ｑe1）であるときの該給気ファン（20）（排気ファン（21））が設けられた通路の圧力損失（機外静圧Ｐs1（Ｐe1））を容易に算出することができる。その結果、該機外静圧Ｐs1（Ｐe1）を用いることにより、室内と室外とが連通していない状態において、室内外の圧力を実際に測定することなく、室内外の差圧が目標差圧（ΔＰ）となるような排気ファン（21）（給気ファン（20））の質量流量Ｑe2（Ｑs2）を容易に算出することができる。従って、室内を室外圧力よりも所定値（ΔＰ）だけ高い圧力又は低い圧力に精度よく調節することができると共に、このような室内圧力の調整を容易に行うことができる。
【００８８】
〈実施形態２〉
本実施形態２と、実施形態１との違いは、図７に示すように、上記制御コントローラ（2）の構成、及び、試運転を実行する際に、室内外の差圧を計測する微差圧計（65）が用いられる点において異なる。
【００８９】
具体的には、実施形態２では、制御コントローラ（2）の試運転制御手段（51）は、第１試運転制御部（53）と、第２試運転制御部（55）と、質量流量算出部（56）とを備えている。また、試運転を実行する際に、室内外の差圧を計測する微差圧計（65）が制御コントローラ（2）に接続され、該微差圧計（65）の計測値が制御コントローラ（2）に入力される。
【００９０】
また、実施形態２では、第２試運転制御部（55）は、陽圧設定の場合には、給気ファン（20）の質量流量が所定流量Ｑs1となるように給気ファン（20）の回転数を制御すると共に、微差圧計（65）の計測値Ｐgが目標差圧ΔＰとなるように排気ファン（21）の回転数を制御する第２試運転を実行する。一方、第２試運転制御部（55）は、陰圧設定の場合には、排気ファン（21）の質量流量が所定流量Ｑe1となるように排気ファン（21）の回転数を制御すると共に、微差圧計（65）の計測値Ｐgが目標差圧ΔＰとなるように給気ファン（20）の回転数を制御する第２試運転を実行する。
【００９１】
さらに、実施形態２では、質量流量算出部（56）は、陽圧設定の場合には、給気ファン（20）の質量流量がＱs1であり且つ微差圧計（65）の計測値Ｐgが目標差圧ΔＰであるときの排気ファン（21）の電力ｗe2及び回転数ｒe2から該排気ファン（21）の質量流量Ｑe2を算出する。一方、上記質量流量算出部（56）は、陰圧設定の場合には、排気ファン（21）の質量流量がＱe1であり且つ微差圧計（65）の計測値Ｐgが目標差圧ΔＰであるときの給気ファン（20）の電力ｗs2及び回転数ｒs2から該給気ファン（20）の質量流量Ｑs2を算出する。
【００９２】
その他の構成については、実施形態１と同様である。
【００９３】
−室内圧力調節運転−
以下、室内圧力調節運転中の動作について図８、９のフローを用いて説明する。
【００９４】
（陽圧設定）
まず、陽圧設定時の運転について図８を用いて説明する。制御コントローラ（2）は、以下のステップＳ２１〜ステップＳ２６において試運転を実行し、ステップＳ２８において本運転を実行する。
【００９５】
ステップＳ２１において、微差圧計（65）を取り付ける。具体的には、室内と室外との連通路に上記微差圧計（65）を設置すると共に、計測値が制御コントローラ（2）に入力されるように該制御コントローラ（2）に接続する。そして、使用者によってリモコン（34）を介して、室内を陽圧状態とする旨及び室内外の目標圧力差ΔＰが制御コントローラ（2）に入力されると、該制御コントローラ（2）は、給気ファン（20）と排気ファン（21）の運転を開始し、ステップＳ２２に進む。
【００９６】
ステップＳ２２では、制御コントローラ（2）の第１試運転制御部（53）が第１試運転を実行する。具体的には、第１試運転制御部（53）が給気ファン（20）の質量流量Ｑsが所定流量Ｑs1となるように給気ファン（20）の回転数を制御する。
【００９７】
ステップＳ２３では、制御コントローラ（2）が、給気ファン（20）の質量流量Ｑsが所定流量Ｑs1であるか否かを判定する。該判定がＹｅｓの場合はステップＳ２４に進む一方、Ｎｏの場合はステップＳ２２に戻ってステップＳ２２及びＳ２３を繰り返す。
【００９８】
ステップＳ２４では、制御コントローラ（2）の第２試運転制御部（55）が第２試運転を実行する。具体的には、第２試運転制御部（55）が、微差圧計（65）の計測値Ｐgが目標差圧ΔＰとなるように排気ファン（21）の回転数を制御する。
【００９９】
ステップＳ２５では、制御コントローラ（2）が、微差圧計（65）の計測値Ｐgが目標差圧ΔＰであるか否かを判定する。該判定がＹｅｓの場合はステップＳ２６に進む一方、Ｎｏの場合はステップＳ２４に戻ってステップＳ２４及びＳ２５を繰り返す。
【０１００】
ステップＳ２６では、制御コントローラ（2）の質量流量算出部（56）が、上記排気側電力回転数相関データと上記排気ファン電力計（63）の検出値ｗe2と上記排気ファン回転数センサ（64）の検出値ｒe2とから、微差圧計（65）の計測値Ｐgが目標差圧ΔＰであるときの排気ファン（21）の質量流量Ｑe2を算出する。
【０１０１】
ステップＳ２７では、微差圧計（65）が取り外される。
【０１０２】
ステップＳ２８では、制御コントローラ（2）の本運転制御手段（52）が、実施形態１と同様に、給気ファン（20）の質量流量がＱs1、排気ファン（21）の質量流量がＱe2となるように両ファン（20,21）の回転数を制御する。
【０１０３】
（陰圧設定）
次に、陰圧設定時の運転について図９を用いて説明する。制御コントローラ（2）は、以下のステップＳ３１〜ステップＳ３６において試運転を実行し、ステップＳ３８において本運転を実行する。
【０１０４】
ステップＳ３１において、陽圧設定時と同様にして微差圧計（65）を取り付ける。そして、使用者によってリモコン（34）を介して、室内を陰圧状態とする旨及び室内外の目標圧力差ΔＰが制御コントローラ（2）に入力されると、該制御コントローラ（2）は、給気ファン（20）と排気ファン（21）の運転を開始し、ステップＳ３２に進む。
【０１０５】
ステップＳ３２では、制御コントローラ（2）の第１試運転制御部（53）が第１試運転を実行する。具体的には、第１試運転制御部（53）が排気ファン（21）の質量流量Ｑeが所定流量Ｑe1となるように排気ファン（21）の回転数を制御する。
【０１０６】
ステップＳ３３では、制御コントローラ（2）が、排気ファン（21）の質量流量Ｑeが所定流量Ｑe1であるか否かを判定する。該判定がＹｅｓの場合はステップＳ３４に進む一方、Ｎｏの場合はステップＳ３２に戻ってステップＳ３２及びＳ３３を繰り返す。
【０１０７】
ステップＳ３４では、制御コントローラ（2）の第２試運転制御部（55）が第２試運転を実行する。具体的には、第２試運転制御部（55）が、微差圧計（65）の計測値Ｐgが目標差圧ΔＰとなるように給気ファン（20）の回転数を制御する。
【０１０８】
ステップＳ３５では、制御コントローラ（2）が、微差圧計（65）の計測値Ｐgが目標差圧ΔＰであるか否かを判定する。該判定がＹｅｓの場合はステップＳ３６に進む一方、Ｎｏの場合はステップＳ３４に戻ってステップＳ３４及びＳ３５を繰り返す。
【０１０９】
ステップＳ３６では、制御コントローラ（2）の質量流量算出部（56）が、上記給気側電力回転数相関データと上記給気ファン電力計（61）の検出値ｗs2と上記給気ファン回転数センサ（62）の検出値ｒs2とから、微差圧計（65）の計測値Ｐgが目標差圧ΔＰであるときの給気ファン（20）の質量流量Ｑs2を算出する。
【０１１０】
ステップＳ２７では、微差圧計（65）が取り外される。
【０１１１】
ステップＳ２８では、制御コントローラ（2）の本運転制御手段（52）が、実施形態１と同様に、排気ファン（21）の質量流量がＱe1、給気ファン（20）の質量流量がＱs2となるように両ファン（20,21）の回転数を制御する。
【０１１２】
−実施形態２の効果−
このように、実施形態２の換気装置によれば、設置後に、微差圧計（65）を設けて試運転を行うことによって、室内外の差圧が目標差圧ΔＰとなるときの両ファン（20,21）の質量流量（Ｑs1、Ｑe2）（Ｑs2、Ｑe1）を容易に導出することができる。従って、本換気装置が設計時の設置位置からずれた位置に設置されたとしても、室内を室外圧力よりも目標差圧分だけ高い圧力に容易に且つ精度よく調節することができる。
【０１１３】
〈その他の実施形態〉
上記実施形態については、以下のような構成としてもよい。
【０１１４】
上記各実施形態では、本発明に係る換気装置は、全熱交換器ユニット（1）を備えていた。しかし、本発明の換気装置は、上記全熱交換器ユニット（1）の代わりに、例えば、図１０に示すような調湿ユニットを備えていてもよい。
【０１１５】
具体的には、上記調湿ユニットは、圧縮機（71）と、四路切換弁（72）と、第１吸着熱交換器（73）と、膨張弁（74）と、第２吸着熱交換器（75）と、アキュムレータ（76）とが接続された冷媒回路（70）を備えている。また、上記調湿ユニットは、上記全熱交換器ユニットと同様に、給気ファン（20）と排気ファン（21）とを備えている。
【０１１６】
第１吸着熱交換器（73）及び第２吸着熱交換器（75）は、それぞれ何れもフィン・アンド・チューブ型の熱交換器の表面にゼオライト等の吸着剤を担持させたものである。第１吸着熱交換器（73）及び第２吸着熱交換器（75）では、その表面に担持された吸着剤が冷媒回路（70）を流れる冷媒によって加熱され又は冷却され、そこを通過する空気が吸着剤と接触する。そして、吸着剤が冷却されている場合には、通過空気中の水分が吸着剤に吸着されると共にその吸着熱が冷媒に吸熱されて処理される。これにより、通過空気が除湿される。一方、吸着剤が加熱されている場合には、吸着剤に吸着された水分が脱離して通過空気中に付与される。これにより、通過空気が加湿される。
【０１１７】
上記四路切換弁（72）は、第１のポートが第３のポートに連通し且つ第２のポートが第４のポートに連通する第１位置（図１０の実線で示す状態）と、第１のポートが第４のポートに連通し且つ第２のポートが第３のポートに連通する第２位置（図１０の破線で示す状態）とに切り換わるように構成されている。
【０１１８】
冷媒回路（70）では、四路切換弁（72）が第１位置に切り換わると、第１吸着熱交換器（73）が凝縮器となって第２吸着熱交換器（75）が蒸発器となる冷凍サイクルが行われる一方、四路切換弁（72）が第２位置に切り換わると、第２吸着熱交換器（75）が凝縮器となって第１吸着熱交換器（73）が蒸発器となる冷凍サイクルが行われる。また、四路切換弁（72）の位置は、所定間隔で交互に切り換えられるように構成されている。
【０１１９】
また、上記調湿ユニットでは、室外からの空気が第１吸着熱交換器（73）を通過して室内へ供給される一方、室内からの空気が第２吸着熱交換器（75）を通過して室外へ排出される第１の状態と、室外からの空気が第２吸着熱交換器（75）を通過して室内へ供給される一方、室内からの空気が第１吸着熱交換器（73）を通過して室外へ排出される第２の状態とに空気通路が切換可能に構成されている。また、空気通路は、所定間隔で交互に切り換えられるように構成されている。
【０１２０】
そして、上記調湿ユニットでは、加湿運転と除湿運転とが可能に構成されている。加湿運転は、上記四路切換弁（72）を第１位置に切り換えると共に空気通路を第１の状態に切り換える第１加湿状態と、上記四路切換弁（72）を第２位置に切り換えると共に空気通路を第２の状態に切り換える第２加湿状態とを所定間隔で交互に切り換えることによって実行される。一方、除湿運転は、上記四路切換弁（72）を第１位置に切り換えると共に空気通路を第２の状態に切り換える第１除湿状態と、上記四路切換弁（72）を第２位置に切り換えると共に空気通路を第１の状態に切り換える第２除湿状態とを所定間隔で交互に切り換えることによって実行される。
【０１２１】
このように、上記調湿ユニットでは、加湿運転の際には、冷媒回路（70）の蒸発器となっている第１吸着熱交換器（73）又は第２吸着熱交換器（75）において室内からの排出空気の潜熱が冷媒によって回収され、凝縮器となっている第１吸着熱交換器（73）又は第２吸着熱交換器（75）において室外からの供給空気に付与される。一方、除湿運転の際には、冷媒回路（70）の凝縮器となっている第１吸着熱交換器（73）又は第２吸着熱交換器（75）において室内からの排出空気の潜熱が冷媒に回収され、蒸発器となっている第１吸着熱交換器（73）又は第２吸着熱交換器（75）において室外からの供給空気に付与される。
【０１２２】
上述のような調湿ユニットにおいても、上記各実施形態と同様の試運転を行って給気ファン（20）と排気ファン（21）との風量（質量流量）を決定した後に本運転（加湿運転又は除湿運転）を行うことによって、室内圧力を室外圧力よりも高い陽圧状態又は室外圧力よりも低い陰圧状態に精度よく且つ容易に調節することができる。
【０１２３】
また、上記実施形態１では、窓（35）を開ける等によって室内と室外とを連通させることによって室内圧力と室外圧力とを等圧力状態としていた。しかしながら、室内圧力と室外圧力とは別の手段によって等圧力状態に設定することとしてもよい。
【０１２４】
なお、以上の実施形態は、本質的に好ましい例示であって、本発明、その適用物、あるいはその用途の範囲を制限することを意図するものではない。
【産業上の利用可能性】
【０１２５】
以上説明したように、本発明は、室内の換気を行う換気装置に関し、特に、室内の圧力状態を陽圧状態又は陰圧状態に調節可能な換気装置について有用である。
【符号の説明】
【０１２６】
１      全熱交換器ユニット
２０      給気ファン
２１      排気ファン 
２２      全熱交換器（熱量回収手段）
５１      試運転制御手段（導出手段） 
５２      本運転制御手段
５３      第１試運転制御部
５４      機外静圧算出部
５５      第２試運転制御部
５６      質量流量算出部
６５      微差圧計
【図１】
2011027360.tif 000003
【図２】
2011027360.tif 000004
【図３】
2011027360.tif 000005
【図４】
2011027360.tif 000006
【図５】
2011027360.tif 000007
【図６】
2011027360.tif 000008
【図７】
2011027360.tif 000009
【図８】
2011027360.tif 000010
【図９】
2011027360.tif 000011
【図１０】
2011027360.tif 000012